(57)【要約】【課題】放送番組や音楽コンテンツなどのコンテンツの詳細情報を好適に表示する情報表示装置を提供する。【解決手段】情報表示装置は、コンテンツの詳細情報のうち重要情報に基づいて背景画像を生成して、コンテンツ詳細画面をその背景画像上に重畳して表示するので、ユーザーは重要情報を想起し易くなる。また、スワイプ操作などによりコンテンツ詳細画面から他の画面に遷移しても、重要情報は背景画像として表示し続けるので、ユーザーは常に重要情報を想起し易い。また、重要情報を構成する文字列をグラフィカルに表示して、画面の美観を向上させることができる。【選択図】  図８
2015050655.tif 000002
【特許請求の範囲】
【請求項１】
前景に表示する前景情報を取得する情報取得部と、
前記前景情報に基づいて前景画面を生成する前景画面生成部と、
前記前景情報に基づいて、１行以上の文字列を取得する文字列取得部と、
前記文字列取得部が取得した文字列を行毎に描画した背景画像を生成する背景画像生成部と、
前記背景画像上に前記前景画面を重畳して、表示画面を生成する画像合成部と、
を具備する情報表示装置。
【請求項２】
前記情報取得部は、所定のコンテンツの詳細情報を前記前景情報として取得し、
前記前景画面生成部は、前記コンテンツの詳細情報に基づくコンテンツ詳細画面を生成する、
請求項１に記載の情報表示装置。
【請求項３】
前記情報取得部は、所定のコンテンツの詳細情報を前記前景情報として取得し、
前記文字列取得部は、前記コンテンツの詳細情報中から所定の１行以上の文字列を取得する、
請求項１に記載の情報表示装置。
【請求項４】
前記情報取得部は、放送番組に関するコンテンツの詳細情報を前記前景情報として取得し、
前記文字列取得部は、前記コンテンツの詳細情報から放送番組のメインタイトル、サブタイトル（但し、サブタイトルが付けられている場合）、放送日時に相当する行の文字列を取得する、
請求項３に記載の情報表示装置。
【請求項５】
前記前景画面に対するユーザーのスライド操作に関する情報を取得する操作情報取得部をさらに備え、
前記背景画像生成部は、前記前景画面のスライドに応じてスクロールする背景画像を生成する、
請求項１に記載の情報表示装置。
【請求項６】
前記背景画像生成部は、背景画像に表示する文字列の文字サイズ、長さ、表示位置を行毎に決定する、
請求項１に記載の情報表示装置。
【請求項７】
前記背景画像生成部は、前記前景画面の有効表示領域の高さ並びに幅にそれぞれ所定比率を掛けて、各行の文字サイズ並びに長さを決定する、
請求項６に記載の情報表示装置。
【請求項８】
前記背景画像生成部は、前記決定した長さを超える文字列長からなる文字列の後方から余剰の文字数だけカットする、
請求項６に記載の情報表示装置。
【請求項９】
前記背景画像生成部は、前記前景画面の有効表示領域の高さ及び幅に対してそれぞれ所定比率となる、行毎の背景画像の描画初期位置を決定する、
請求項６に記載の情報表示装置。
【請求項１０】
前記前景画面に対するユーザーのスライド操作に関する情報を取得する操作情報取得部をさらに備え、
前記背景画像生成部は、最左端にスライドした前景画面では、行毎の背景画像をそれぞれの描画初期位置に描画し、最右端にスライドした前景画面では、各行の背景画像の右端が前景画面の有効表示領域の右端に揃うように描画する、
請求項９に記載の情報表示装置。
【請求項１１】
前記背景画像生成部は、前景画像が左右方向にスライドするステップ数に応じて、前景画像の各スライド位置における行毎の背景画像の描画位置を決める、
請求項１０に記載の情報表示装置。
【請求項１２】
前記背景画像生成部は、前記前景画像が有する色情報に基づいて、背景画像に表示する文字列の文字色を決定する、
請求項１に記載の情報表示装置。
【請求項１３】
前記前景情報は画像情報を含み、
前記背景画像生成部は、前記画像情報の代表色に基づいて前記文字色を決定する、
請求項１２に記載の情報表示装置。
【請求項１４】
前記背景画像生成部は、前記代表色の輝度又は彩度の少なくとも一方に基づいて、前記文字色を加工する、
請求項１３に記載の情報表示装置。
【請求項１５】
前記情報取得部は、放送コンテンツの詳細情報をデータ放送から取得する、
請求項２に記載の情報表示装置。
【請求項１６】
前記情報取得部は、記録メディアを介して配布される商用コンテンツの詳細情報を前記記録メディアから取得する、
請求項２に記載の情報表示装置。
【請求項１７】
前記文字列取得部は、前記前景情報に関連する文字列をインターネットから取得する、
請求項１に記載の情報表示装置。
【請求項１８】
前記画像合成部により前記背景画像を合成した表示画面を表示する表示部をさらに備える、
請求項１に記載の情報表示装置。
【請求項１９】
前景に表示する前景情報を取得する情報取得ステップと、
前記前景情報に基づいて前景画面を生成する前景画面生成ステップと、
前記前景情報に基づいて、１行以上の文字列を取得する文字列取得ステップと、
前記文字列取得部が取得した行毎の文字列を描画した背景画像を生成する背景画像生成ステップと、
前記背景画像上に前記前景画面を重畳して、表示画面を生成する画像合成ステップと、
を有する情報表示方法。
【請求項２０】
前景に表示する前景情報を取得する情報取得部、
前記前景情報に基づいて前景画面を生成する前景画面生成部、
前記前景情報に基づいて、１行以上の文字列を取得する文字列取得部、
前記文字列取得部が取得した行毎の文字列を描画した背景画像を生成する背景画像生成部、
前記背景画像上に前記前景画面を重畳して、表示画面を生成する画像合成部、
としてコンピューターを機能させるようにコンピューター可読形式で記述されたコンピューター・プログラム。
【発明の詳細な説明】
【技術分野】
【０００１】
本明細書で開示する技術は、放送番組や音楽コンテンツなどのコンテンツの詳細情報を表示する情報表示装置及び情報表示方法、並びにコンピューター・プログラムに関する。
【背景技術】
【０００２】
昨今、パーソナル・コンピューターや、スマートフォン、タブレット端末、電子書籍などの情報機器が広範に普及している。この種の情報機器は、Ｗｉｎｄｏｗｓ（登録商標）やＡｎｄｒｏｉｄ（登録商標）、ｉＯＳなどのオペレーティング・システムが提供する実行環境下でさまざまなアプリケーション・プログラムを実行することができる。また、各情報機器のユーザー間で、Ｗｉ−Ｆｉ（登録商標）（Ｗｉｒｅｌｅｓｓ  Ｆｉｄｅｌｉｔｙ）などの無線ネットワークを経由して、情報の交換や情報の共有を行なうことができる。
【０００３】
多くの情報機器はタッチパネルを装備している。ユーザーは、タッチパネル式の画面上で、タップや長押し操作することで、マウスの左右ボタンのクリックと同様の処理を起動することができる。また、画面上でスワイプ（スクロールしない方向へのスライド）操作することで、画面をスライドさせることができる。
【０００４】
情報機器上では、チューナーで受信した放送番組や、ストリーム配信され又はＣＤから再生した音楽コンテンツの視聴を行なうことができる。例えば、放送局毎のテレビ番組を放映時刻順に一覧表示したＥＰＧ（Ｅｌｅｃｔｒｉｃ  Ｐｒｏｇｒａｍ  Ｇｕｉｄ）画面や、利用可能な音楽コンテンツを一覧表示したプレイリストを情報機器で表示し、ユーザーは、所望のコンテンツをタップなどして選択すると、コンテンツ詳細画面に切り替わる。コンテンツ詳細画面は、番組タイトル（サブタイトルを含む）、放映日時、出演者、番組のあらすじ、あるいは楽曲のタイトル、作詞者、作曲者、編曲者、歌詞など、コンテンツの詳細情報を表示する。コンテンツ詳細画面は、ユーザーのコンテンツ視聴や録画の促進や支援にもなる。
【０００５】
最近では、インターネット技術をテレビ・セットやセット・トップ・ボックスに統合させた「スマートテレビ」の開発が進んでいる。例えば、スマートフォンやタブレットなどの多機能端末をテレビとデータを連携若しくは同期させ、テレビ画面をメインスクリーンとし、多機能端末をサブスクリーンとしたマルチスクリーンを利用して、新しいサービスを提供することができる（例えば、特許文献１を参照のこと）。例えば、テレビ画面で視聴中の放送番組についての詳細画面や番組関連情報などを多機能端末のサブスクリーン上に表示したり、多機能端末からテレビをリモコン操作したりすることができる。
【発明の概要】
【発明が解決しようとする課題】
【０００６】
本明細書で開示する技術の目的は、放送番組や音楽コンテンツなどのコンテンツの詳細情報を好適に表示することができる、優れた情報表示装置及び情報表示方法、並びにコンピューター・プログラムを提供することにある。
【課題を解決するための手段】
【０００７】
本願は、上記課題を参酌してなされたものであり、請求項１に記載の技術は、
前景に表示する前景情報を取得する情報取得部と、
前記前景情報に基づいて前景画面を生成する前景画面生成部と、
前記前景情報に基づいて、１行以上の文字列を取得する文字列取得部と、
前記文字列取得部が取得した文字列を行毎に描画した背景画像を生成する背景画像生成部と、
前記背景画像上に前記前景画面を重畳して、表示画面を生成する画像合成部と、
を具備する情報表示装置である。
【０００８】
本願の請求項２に記載の技術によれば、請求項１に記載の情報表示装置の前記情報取得部は、所定のコンテンツの詳細情報を前記前景情報として取得し、前記前景画面生成部は、前記コンテンツの詳細情報に基づくコンテンツ詳細画面を生成するように構成されている。
【０００９】
本願の請求項３に記載の技術によれば、請求項１に記載の情報表示装置の前記情報取得部は、所定のコンテンツの詳細情報を前記前景情報として取得し、前記文字列取得部は、前記コンテンツの詳細情報中から所定の１行以上の文字列を取得するように構成されている。
【００１０】
本願の請求項４に記載の技術によれば、請求項３に記載の情報表示装置の前記情報取得部は、放送番組に関するコンテンツの詳細情報を前記前景情報として取得し、前記文字列取得部は、前記コンテンツの詳細情報から放送番組のメインタイトル、サブタイトル（但し、サブタイトルが付けられている場合）、放送日時に相当する行の文字列を取得するように構成されている。
【００１１】
本願の請求項５に記載の技術によれば、請求項１に記載の情報表示装置は、前記前景画面に対するユーザーのスライド操作に関する情報を取得する操作情報取得部をさらに備えている。そして、前記背景画像生成部は、前記前景画面のスライドに応じてスクロールする背景画像を生成するように構成されている。
【００１２】
本願の請求項６に記載の技術によれば、請求項１に記載の情報表示装置の前記背景画像生成部は、背景画像に表示する文字列の文字サイズ、長さ、表示位置を行毎に決定するように構成されている。
【００１３】
本願の請求項７に記載の技術によれば、請求項６に記載の情報表示装置の前記背景画像生成部は、前記前景画面の有効表示領域の高さ並びに幅にそれぞれ所定比率を掛けて、各行の文字サイズ並びに長さを決定するように構成されている。
【００１４】
本願の請求項８に記載の技術によれば、請求項６に記載の情報表示装置の前記背景画像生成部は、前記決定した長さを超える文字列長からなる文字列の後方から余剰の文字数だけカットするように構成されている。
【００１５】
本願の請求項９に記載の技術によれば、請求項６に記載の情報表示装置の前記背景画像生成部は、前記前景画面の有効表示領域の高さ及び幅に対してそれぞれ所定比率となる、行毎の背景画像の描画初期位置を決定するように構成されている。
【００１６】
本願の請求項１０に記載の技術によれば、請求項９に記載の情報表示装置は、前記前景画面に対するユーザーのスライド操作に関する情報を取得する操作情報取得部をさらに備えている。そして、前記背景画像生成部は、最左端にスライドした前景画面では、行毎の背景画像をそれぞれの描画初期位置に描画し、最右端にスライドした前景画面では、各行の背景画像の右端が前景画面の有効表示領域の右端に揃うように描画するように構成されている。
【００１７】
本願の請求項１１に記載の技術によれば、請求項１０に記載の情報表示装置の前記背景画像生成部は、前景画像が左右方向にスライドするステップ数に応じて、前景画像の各スライド位置における行毎の背景画像の描画位置を決めるように構成されている。
【００１８】
本願の請求項１２に記載の技術によれば、請求項１に記載の情報表示装置の前記背景画像生成部は、前記前景画像が有する色情報に基づいて、背景画像に表示する文字列の文字色を決定するように構成されている。
【００１９】
本願の請求項１３に記載の技術によれば、前記前景情報は画像情報を含んでいる。そして、請求項１２に記載の情報表示装置の前記背景画像生成部は、前記画像情報の代表色に基づいて前記文字色を決定するように構成されている。
【００２０】
本願の請求項１４に記載の技術によれば、請求項１３に記載の情報表示装置の前記背景画像生成部は、前記代表色の輝度又は彩度の少なくとも一方に基づいて、前記文字色を加工するように構成されている。
【００２１】
本願の請求項１５に記載の技術によれば、請求項２に記載の情報表示装置の前記情報取得部は、放送コンテンツの詳細情報をデータ放送から取得するように構成されている。
【００２２】
本願の請求項１６に記載の技術によれば、請求項２に記載の情報表示装置の前記情報取得部は、記録メディアを介して配布される商用コンテンツの詳細情報を前記記録メディアから取得するように構成されている。
【００２３】
本願の請求項１７に記載の技術によれば、請求項１に記載の情報表示装置の前記文字列取得部は、前記前景情報に関連する文字列をインターネットから取得するように構成されている。
【００２４】
本願の請求項１８に記載の技術によれば、請求項１に記載の情報表示装置は、前記画像合成部により前記背景画像を合成した表示画面を表示する表示部をさらに備えている。
【００２５】
また、本願の請求項１９に記載の技術は、
前景に表示する前景情報を取得する情報取得ステップと、
前記前景情報に基づいて前景画面を生成する前景画面生成ステップと、
前記前景情報に基づいて、１行以上の文字列を取得する文字列取得ステップと、
前記文字列取得部が取得した行毎の文字列を描画した背景画像を生成する背景画像生成ステップと、
前記背景画像上に前記前景画面を重畳して、表示画面を生成する画像合成ステップと、
を有する情報表示方法である。
【００２６】
また、本願の請求項２０に記載の技術は、
前景に表示する前景情報を取得する情報取得部、
前記前景情報に基づいて前景画面を生成する前景画面生成部、
前記前景情報に基づいて、１行以上の文字列を取得する文字列取得部、
前記文字列取得部が取得した行毎の文字列を描画した背景画像を生成する背景画像生成部、
前記背景画像上に前記前景画面を重畳して、表示画面を生成する画像合成部、
としてコンピューターを機能させるようにコンピューター可読形式で記述されたコンピューター・プログラムとしてコンピューターを機能させるようにコンピューター可読形式で記述されたコンピューター・プログラムである。
【００２７】
本願の請求項２０に係るコンピューター・プログラムは、コンピューター上で所定の処理を実現するようにコンピューター可読形式で記述されたコンピューター・プログラムを定義したものである。換言すれば、本願の請求項２０に係るコンピューター・プログラムをコンピューターにインストールすることによって、コンピューター上では協働的作用が発揮され、本願の請求項１に係る情報表示装置と同様の作用効果を得ることができる。
【発明の効果】
【００２８】
本明細書で開示する技術によれば、放送番組や音楽コンテンツなどのコンテンツの詳細情報を好適に表示することができる、優れた情報表示装置及び情報表示方法、並びにコンピューター・プログラムを提供することができる。
【００２９】
本明細書で開示する技術を適用した情報表示装置は、コンテンツの詳細情報のうち主要な情報（例えば、放送コンテンツの場合の番組のメインタイトルやサブタイトル、放映日時など）の文字列を用いて背景画像を生成して、コンテンツ詳細画面をその背景画像の前方に重畳して表示するので、ユーザーはコンテンツに関する主要な情報を想起し易くなるという効果がある。また、スワイプ操作などによりコンテンツ詳細画面がスライドしたりスクロールしたりしても、そのうちの主要な情報の文字列は背景画像として表示し続けるので、ユーザーは常にコンテンツを視聴することを想起し易い。また、コンテンツの詳細情報を構成する文字列を背景画像としてグラフィカルに表示することで、コンテンツ詳細画面の美観を向上させることができる。
【００３０】
なお、本明細書に記載された効果は、あくまでも例示であり、本発明の効果はこれに限定されるものではない。また、本発明が、上記の効果以外に、さらに付加的な効果を奏する場合もある。
【００３１】
本明細書で開示する技術のさらに他の目的、特徴や利点は、後述する実施形態や添付する図面に基づくより詳細な説明によって明らかになるであろう。
【図面の簡単な説明】
【００３２】
【図１】図１は、本明細書で開示する技術を適用したテレビ・システム１００の構成例を模式的に示した図である。
【図２】図２は、情報端末２００の内部構成を模式的に示した図である。
【図３】図３は、情報端末２００がテレビ連携アプリケーションを実行する際の、表示パネル２２１に表示される画面の遷移図である。
【図４】図４は、テレビ番組表画面３１の構成例を示した図である。
【図５】図５は、Ｗａｔｃｈ  Ｎｏｗ画面３２の構成例を示した図である。
【図６】図６は、ＳＮＳ画面３３の構成例を示した図である。
【図７】図７は、ＣＳＳ画面３４の構成例を示した図である
【図８】図８は、コンテンツ詳細画面（Ｉｎｆｏｒｍａｔｉｏｎ）３５の構成例を示した図である。
【図９】図９は、ＳＮＳ一覧画面（ＳＮＳ）３６の構成例を示した図である。
【図１０】図１０は、関連番組一覧画面（Ｒｅｌａｔｅｄ）３７の構成例を示した図である。
【図１１】図１１は、コンテンツの詳細情報に含まれる特定の文字列をグラフィカルに表示した背景画像を生成する仕組みを説明するための図である。
【図１２】図１２は、コンテンツの詳細情報に含まれる特定の文字列をグラフィカルに表示した背景画像を生成する仕組みを説明するための図である。
【図１３】図１３は、コンテンツの詳細情報に含まれる特定の文字列をグラフィカルに表示した背景画像を生成する仕組みを説明するための図である。
【図１４】図１４は、背景画像付きのコンテンツ詳細画面３５を生成するための機能的構成例を模式的に示した図である。
【図１５】図１５は、背景画像として表示する文字列の文字サイズ、大きさ（長さ）、表示位置を決定するための処理手順を示したフローチャートである。
【図１６Ａ】図１６Ａは、背景画像として表示する文字列の文字色を決定するための処理手順を示したフローチャートである。
【図１６Ｂ】図１６Ｂは、背景画像として表示する文字列の文字色を決定するための処理手順を示したフローチャートである。
【発明を実施するための形態】
【００３３】
以下、図面を参照しながら本明細書で開示する技術の実施形態について詳細に説明する。
【００３４】
図１には、本明細書で開示する技術を適用したテレビ・システム１００の構成例を模式的に示している。図示のテレビ・システム１００は、ユーザーが所持する情報端末２００と、テレビ受像機３００本体とからなる。
【００３５】
情報端末２００とテレビ受像機３００は、Ｗｉ−Ｆｉなどの無線ネットワークを介して直接、あるいはインターネットなどの広域ネットワーク越しに連携しており、常時若しくは定期的に情報の同期がとられている。また、情報端末２００とテレビ受像機３００は連携して、テレビ受像機３００側の画面をメインスクリーンとし、情報端末２００のタッチ画面をサブスクリーンとしたマルチスクリーンを構成する。
【００３６】
情報端末２００は、例えばスマートフォンやタブレットなどのタッチパネル式の多機能携帯端末であり、Ａｎｄｒｏｉｄ（登録商標）やｉＯＳなどのオペレーティング・システムが提供する実行環境下でさまざまなアプリケーション・プログラムを実行することができる。例えば、Ｇｏｏｇｌｅ  Ｐｌａｙのようなアプリケーションのマーケットから情報端末２００に、有償又は無償のＡｎｄｒｉｏｄ（登録商標）アプリケーションをダウンロードすることができる（周知）。
【００３７】
例えば、「ＴＶ  ＳｉｄｅＶｉｅｗ」のようなテレビ連携アプリケーションをインストールすることで、情報端末２００は、リモコン機能付きテレビ番組表として機能することができる。具体的には、情報端末２００のサブスクリーン上で以下のようなサービス（１）〜（５）を利用することが可能になる。
【００３８】
（１）手元のアプリケーションで表示されるテレビ番組表上での番組検索や、テレビ受像機３００側のチャンネル切り替え。
（２）タッチパネル上でのタップによるテレビ受像機３００のリモコン操作。
（３）視聴中のテレビ番組に関連する情報コンテンツの検索。
（４）視聴中のテレビ番組などのコンテンツの詳細情報の閲覧。
（５）視聴中のテレビ番組に対するコメントのソーシャル・ネットワーク・サービス（ＳＮＳ）への書き込みやメッセージ送信。
【００３９】
なお、上記のような情報端末２００側のサブスクリーンを利用したサービス（１）〜（５）は、情報端末２００を用いず、テレビ受像機３００のメインスクリーン上で、番組本編の映像と画面切り替えを行ないながら利用することも勿論可能である。
【００４０】
図２には、情報端末２００の内部構成を模式的に示している。図示の情報端末２００は、制御部２１０に対して、表示部２２０や音声処理部２３０、通信部２４０、記憶部２５０、カメラ部２６０、センサー部２７０などが接続されることにより構成されている。
【００４１】
制御部２１０は、ＣＰＵ（Ｃｅｎｔｒａｌ  Ｐｒｏｃｅｓｓｉｎｇ  Ｕｎｉｔ）２１１、ＲＯＭ（Ｒｅａｄ  Ｏｎｌｙ  Ｍｅｍｏｒｙ）２１２、ＲＡＭ（Ｒａｎｄｏｍ  Ａｃｃｅｓｓ  Ｍｅｍｏｒｙ）２１３などにより構成される。ＲＯＭ２１２内には、ＣＰＵ２１１が実行するプログラム・コードや当該情報端末２００に必須の情報などが格納されている。
【００４２】
ＣＰＵ２１１は、ＲＯＭ２１２や記憶部２４０からＲＡＭ２１３にプログラム・コードをロードして実行する。ＣＰＵ２１１が実行するプログラムには、ＡｎｄｒｏｉｄやｉＯＳなどのオペレーティング・システムや、テレビ連携アプリケーションなどオペレーティング・システムが提供する実行環境下で動作する各種アプリケーション・プログラムを挙げることができる。
【００４３】
表示部２２０は、液晶素子や有機ＥＬ（Ｅｌｅｃｔｒｏ  Ｌｕｍｉｎｅｓｃｅｎｃｅ）素子などからなる表示パネル２２１と、この表示パネル２２２の上面に貼設された透明なタッチパネル２２３を備えている。表示パネル２２１は、表示インターフェース２２２を介して制御部２１０に接続され、制御部２１０で生成された画像情報を表示出力する。また、タッチパネル２２３は、タッチ・インターフェース２２４を介して制御部２１０に接続され、ユーザーが表示パネル２２１上を指先で操作した座標情報を制御部２１０に出力する。制御部２１０側では、入力された座標情報に基づいて、タップや長押し、フリック、スワイプなどのユーザー操作を検出して、ユーザー操作に対応する処理を起動する。
【００４４】
音声処理部２３０は、スピーカーなどの音声出力部２３１と、マイクロフォンなどの音声入力部２３２と、入出力される音声信号を符号化復号処理する音声コーデック（ＣＯＤＥＣ）２３３を備えている。また、音声処理部２３０は、音声信号をヘッドフォン（図示しない）に出力するための出力端子２３４をさらに備えていてもよい。
【００４５】
通信部２４０は、制御部２１０で実行するアプリケーションと外部装置間での情報の通信処理を行なう。ここで言う外部装置として、テレビ受像機３００や、他ユーザーが扱う情報端末（図示しない）、インターネット上に存在するサーバーなどを挙げることができる。通信部２３０は、使用する通信媒体に応じて、Ｗｉ−Ｆｉ、ＮＦＣ（Ｎｅａｒ  Ｆｉｅｌｄ  Ｃｏｍｍｕｎｉｃａｔｉｏｎ）、Ｂｌｕｅｔｏｏｔｈ（登録商標）などの物理層モジュールを装備するとともに、物理層モジュールを介して送受信される通信信号の変復調処理や符号化復号処理を行なう。また、テレビ連携アプリケーションなどのアプリケーションのダウンロードや、ＥＰＧ画面やコンテンツ詳細情報などの表示部２２０で表示する情報は、通信部２４０を介して取得される。
【００４６】
記憶部２５０は、例えばＳＳＤ（Ｓｏｌｉｄ  Ｓｔａｔｅ  Ｄｒｉｖｅ）やＨＤＤ（Ｈａｒｄ  Ｄｉｓｃ  Ｄｒｉｖｅ）などの大容量の記憶装置からなる。例えば、通信部２４０を介してダウンロードしたアプリケーション・プログラムやコンテンツ、カメラ部２６０で撮影した静止画や動画などの画像データなどは、記憶部２５０に格納される。
【００４７】
カメラ部２６０は、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などレンズ（図示しない）を介して取り込まれた光を光電変換するイメージ・センサー２６１と、イメージ・センサー２６１の検出信号のノイズ除去やディジタル化を行なって画像データを生成するＡＦＥ（Ａｎａｌｏｇ  Ｆｒｏｎｔ  Ｅｎｄ）処理部２６２を備え、生成した画像データをカメラ・インターフェース２６３から制御部２１０に出力する。
【００４８】
センサー部２７０は、当該情報端末２００の位置情報を取得するためのＧＰＳ（Ｇｌｏｂａｌ  Ｐｏｓｏｔｉｏｎｉｎｇ  Ｓｙｓｔｅｍ）センサーや、当該情報端末２００本体の姿勢や作用する力を検出するためのジャイロ・センサー、加速度センサーなどを含んでいる。
【００４９】
図３には、情報端末２００がテレビ連携アプリケーションを実行する際の、表示パネル２２１に表示される画面の遷移図を示している。同図中、参照番号３１、３２、３３、３４はそれぞれ、テレビ番組表画面、Ｗａｔｃｈ  Ｎｏｗ画面、ＳＮＳ画面、ＣＳＳ画面である。ユーザーは、各画面３１〜３４内で所望する（若しくは、気に入った）番組などのコンテンツを見付けだすと、その場所をタップ操作するなどして選択する。すると、参照番号３１ｓ、３２ｓ、３３ｓ、３４ｓで示すように、選択されたコンテンツの詳細情報を表示するコンテンツ詳細画面３５に遷移する。
【００５０】
コンテンツ詳細画面（メイン画面）３５上では、ユーザーは、スワイプ（すなわち、スクロールしない水平方向への画面のスライド）操作を行なうことができる。参照番号３５ｒで示すように右方向に１回スワイプ操作すると、別のコンテンツ詳細画面（右画面）にスライドする。図示の例では、右画面は、当該番組コンテンツの各出演者のＳＮＳ（コメント投稿サイトなど）を一覧表示するＳＮＳ一覧画面３６である。
【００５１】
また、コンテンツ詳細画面３５上で、参照番号３５ｌで示すように左方向に１回スワイプ操作すると、さらに別のコンテンツ詳細画面（左画面）にスライドする。図示の例では、左画面は、当該番組に関連する他の番組コンテンツを一覧表示する関連番組一覧画面３７である。
【００５２】
なお、図３では、コンテンツ詳細画面３５上では左右方向に３ステップで画面がスライドする例を示したが、４ステップ以上で左右方向に画面がスライドするようにコンテンツ詳細画面の遷移を構成することも可能である。
【００５３】
図４には、テレビ番組表（ＴＶ  Ｐｒｏｇｒａｍ  ｖｉｅｗ）画面３１の構成例を示している。周知のように、テレビ番組表画面３１は、一般に、チャンネル番号順に放送チャンネルを一覧表示したリストからなる。図示の例では、垂直（縦軸）方向に各放送チャンネル４０１、４０２、４０３、…が、チャンネル番号順にレイアウトされている。また、テレビ番組表画面３１の水平（横軸）方向は時間軸に相当する。各放送チャンネルの行には、放送時間帯に相当する水平位置及び長さを持つ番組欄４１１、４１２、…が時系列に配置されている。各番組欄の中には、番組のメインタイトルやサブタイトル（但し、サブタイトルが付けられている場合）、出演者名などの主要若しくは重要な情報が、各番組欄内に収まる文字数の範囲でそれぞれ表示される（図４中では図示を省略）。各番組欄に表示するタイトルやサブタイトル、出演者名などの情報は、放送コンテンツに付随して配信されるＥＰＧ情報から取得することができる。通常、番組欄内のタイトルの表示領域は番組の詳細画面を起動するアンカーになっている。ユーザーは、所望する番組欄内のタイトルをタップすることで、その番組コンテンツの詳細画面に遷移させることができる。
【００５４】
図５には、Ｗａｔｃｈ  Ｎｏｗ画面３２の構成例を示している。Ｗａｔｃｈ  Ｎｏｗは、「ＴＶ  ＳｉｄｅＶｉｅｗ」アプリケーションの一部に相当するアプリケーションであり、ユーザーの個人的な好みやソーシャル・メディアが示すトレンド情報に基づいて、対話敵で且つ視覚的な番組ガイドを提供している。図示のＷａｔｃｈ  Ｎｏｗ画面３２は、ユーザーの個人的な好みやソーシャル・メディアが示すトレンド情報に基づいて抽出された複数の番組コンテンツの代表画像５０１、５０２、…をレイアウトして構成されている。各代表画像５０１、５０２、…は、枠内の下段に番組名が表示され、また、番組の詳細画面を起動するアンカーになっている。ユーザーは、所望する代表画像５０１、５０２、…をタップすることで、該当する番組コンテンツの詳細画面３５に遷移させることができる。
【００５５】
図６には、ＳＮＳ画面３３の構成例を示している。ＳＮＳ画面３３は、不特定のユーザー６０１、６０２、…がソーシャル・メディアに書き込んだ放送番組に関するコメント６１１、６１２、…の一覧からなる。ある放送番組に対するコメントの書き込みに対しては、その番組の代表画像６２１、６２２、…のサムネイルが貼り付けられる。サムネイルは該当する番組の詳細画面を起動するアンカーになっており、ユーザーはサムネイルをタップすることで、該当する番組コンテンツの詳細画面に遷移させることができる。
【００５６】
図７には、ＣＳＳ画面３４の構成例を示している。ＣＳＳ画面３４は、Ｃｒｏｓｓ  Ｓｅｒｖｉｃｅ  Ｓｅａｒｃｈ、すなわち、サービスをまたいだ検索結果画面である。図示の例では、ある番組の出演者名で検索した検索結果画面であり、その出演者の他の出演番組７０１、７０２、…の一覧からなる。各出演番組の代表画像のサムネイルが、番組のメインタイトル、サブタイトル（但し、サブタイトルが付けられている場合）、放映日時などとともに表示されている。サムネイルは該当する番組の詳細画面を起動するアンカーになっており、ユーザーはサムネイルをタップすることで、その詳細画面に遷移させることができる。
【００５７】
図８には、コンテンツ詳細画面（Ｉｎｆｏｒｍａｔｉｏｎ）３５の構成例を示している。図４〜図７などの画面上でユーザーが所望のアンカーをタップするなどの選択操作により、情報端末２００は、該当する番組コンテンツの詳細画面３５に切り替わる。コンテンツ詳細画面３５は、コンテンツ詳細情報のメイン画面に相当し、当該番組の代表画像のサムネイル８０１や、番組のメインタイトル８０２、サブタイトル（但し、サブタイトルが付けられている場合）８０３、放映日時８０４といった主要な情報、当該番組のあらすじ（Ｓｕｍｍａｒｙ）８０５、番組出演者のリスト８０６を含んでいる。
【００５８】
放送コンテンツの場合、例えば番組放送に付随して送信されるデータ放送から、コンテンツ詳細情報を取得することができる。また、ＤＶＤやブルーレイなどの商用コンテンツの場合、ＤＬＮＡ（Ｄｉｇｉｔａｌ  Ｌｉｖｉｎｇ  Ｎｅｔｗｏｒｋ  Ａｌｌｉａｎｃｅ）のベースとなるＵＰｎＰ（Ｕｎｉｖｅｒｓａｌ  Ｐｌｕｇ  ａｎｄＰｌａｙ）で策定されている、コンテンツのリストとコンテンツの詳細情報を階層化して配信するＣＤＳ（Ｃｏｎｔｅｎｔ  Ｄｉｒｅｃｔｏｒｙ  Ｓｅｒｖｉｃｅ）機能を用いてコンテンツの詳細情報を取得することができる。あるいは、これらの仕組みとは別に、クラウド技術を利用したサービスによりコンテンツ詳細情報が提供されることもある。
【００５９】
図９には、ＳＮＳ一覧画面（ＳＮＳ）３６の構成例を示している。図８に示したコンテンツ詳細画面３５上で、ユーザーが右方向に１回スワイプ操作すると、画面の表示が右方向にスライドして、図示のＳＮＳ一覧画面３６に遷移する。ＳＮＳ一覧画面３６は、当該番組の各出演者のＳＮＳ情報の一覧からなる。ＳＮＳ情報は、各出演者の顔写真などのサムネイル９０１、９０２、…と、名前、最新の書き込みコメントの文字列（但し、所定の文字数までとする）９１１、９１２、…を含んでいる。また、このＳＮＳ一覧画面３６上で、ユーザーが左方向に１回スワイプ操作すると、画面の表示が左方向にスライドして、コンテンツ詳細画面３５に戻る。
【００６０】
また、図１０には、関連番組一覧画面（Ｒｅｌａｔｅｄ）３７の構成例を示している。図８に示したコンテンツ詳細画面３５上で、ユーザーが左方向に１回スワイプ操作すると、画面の表示が左方向にスライドして、図示の関連番組一覧画面３７に遷移する。関連番組一覧画面３７は、当該番組に関連する番組の番組情報の一覧からなる。ここで言う関連番組の選別方法は任意である。一連のシリーズ番組や、キーワードが一致又は類似する番組、出演者が一致する番組など、選別する基準はさまざまである。各番組情報の欄１００１、１００２、…には、その番組の代表画像のサムネイル、番組のメインタイトル、サブタイトル（但し、サブタイトルが付けられている場合）、放映日時などの主要な情報とともに表示されている。サムネイルは該当する番組の詳細画面を起動するアンカーになっており、ユーザーはサムネイルをタップすることで、さらにその番組の詳細画面に遷移させることができる。また、この関連番組一覧画面３７上で、ユーザーが右方向に１回スワイプ操作すると、画面の表示が右方向にスライドしてコンテンツ詳細画面３５に戻る。
【００６１】
図３では、コンテンツ詳細画面３５は、右画面、メイン画面、左画面の３ステップで画面がスライドする例を示したが、２ステップ以下、又は４ステップ以上で画面がスライドするように左右方向に画面遷移を構成することも可能である。以下では、便宜上、３ステップの画面スライドに限定して説明する。
【００６２】
図８〜図１０に示したコンテンツ詳細画面３５〜３７において、各表示コンポーネント８０１、８０２、…、９０１、９０２、…、１００１、１００２、…の後方で、グラフィカルなフォントで紙面に描かれているグレーの文字列は、背景画像である。本実施形態では、メイン画像であるコンテンツ詳細画面３５に表示されているコンテンツの詳細情報のうち主要となる数行の文字列を、所定のフォントを用いて所定の文字サイズでグラフィカルに表示した背景画像を生成する。ここで言う主要なコンテンツの詳細情報とは、番組のメインタイトル「Ｌｅ  Ｇｒａｎｄ  Ｂｌｅｕ」とサブタイトル「Ｓｅａｓｏｎ１１」（但し、サブタイトルが付けられている場合）、放映日時「２０１３  ９／１８」など、番組の視聴や録画予約に欠かすことができない情報である。
【００６３】
図８に示したコンテンツ詳細画面３５内には、番組のメインタイトルやサブタイトル、放映日時などの主要な情報は、参照番号８０２〜８０４で示したように、同画面の前景としても表示されている。番組のメインタイトル、サブタイトル、放映日時からなる３行の文字列を、背景画像としてグラフィカルに表示することでさらに強調され、ユーザーがコンテンツの視聴を想起し易くなる。
【００６４】
また、コンテンツ詳細画面３５上でユーザーが左右にスワイプ操作すると、コンテンツ詳細画面の別の形態であるＳＮＳ一覧画面３６（図９を参照のこと）や関連番組一覧画面３７（図１０を参照のこと）に遷移する（図３を参照のこと）。ＳＮＳ一覧画面３６や関連番組一覧画面３７には、番組のメインタイトルやサブタイトル、放映日時はもはや画面の前景には表示されない。しかしながら、画面３６、３７にも、番組のメインタイトル「Ｌｅ  Ｇｒａｎｄ  Ｂｌｅｕ」とサブタイトル「Ｓｅａｓｏｎ１１」、放映日時「２０１３  ９／１８」の３行の文字列は背景画像として表示し続けられているので、ユーザーは常にコンテンツの視聴を想起し易い。なお、図示を省略するが、画面をスライドではなくスクロール操作する場合にも、同様に、背景画像として番組のメインタイトルやサブタイトル、放映日時の３行の文字列を表示し続けるので、ユーザーは常にコンテンツの視聴を想起し易い。
【００６５】
図８〜図１０では、番組のメインタイトル、サブタイトル、放映日時の３行の文字列をグラフィカルに表示した背景画像を例示した。行毎（言い換えれば、表示する情報の種類毎）に、フォントや文字サイズ、表示位置、表示領域の大きさ（長さ）を変更することでグラフィカルな効果が高まり、ユーザーは背景画像として表示されている文字列を注視し易くなる。勿論、すべての行の文字列を、同じフォント、同じ文字サイズで均一に表示して、背景画像を生成するようにしてもよい。
【００６６】
図１１〜図１３には、コンテンツの詳細情報に含まれる特定の文字列をグラフィカルに表示した背景画像を生成する仕組みを図解している。行毎に、文字サイズ、表示位置、表示領域の大きさ（長さ）を異ならせて文字列を表示することで、背景画像をよりグラフィカルにすることができる。ここでは便宜上、すべての行で同じフォントを用いて文字列を表示するものとする。また、紙面の都合で、縦置きに表示されたコンテンツ詳細画面を用いて各図を描いた。放送コンテンツの場合、コンテンツの詳細情報からは、番組のメインタイトル、サブタイトル（但し、サブタイトルが付けられている場合）、放映日時の３行の文字列を抽出して、背景画像としてグラフィカルに表示するものとする。
【００６７】
図１１には、メイン画面としてのコンテンツ詳細画面（Ｉｎｆｏｒｍａｔｉｏｎ）３５から、背景画像に用いる文字列を抽出する様子を示している。同図右に示すコンテンツ詳細画面３５から、参照番号１１１１、１１１２、１１１３で示すように、番組のメインタイトル８０２、サブタイトル８０３、放映日時８０４の３種類すなわち３行の文字列を抽出する。そして、同図左に示すように、各行の文字列をそれぞれ背景画像１１０１、１１０２、１１０３として割り付ける。
【００６８】
背景画像に使用する文字列は、放送コンテンツに付随して配信されるＥＰＧ情報から取得することができる。但し、背景画像に使用する文字列の取得方法はこれに限定されるものではない。例えば、放送事業者などが主導的となって、番組コンテンツに付随するデータ放送コンテンツ内で、（ＥＰＧ情報とは別に）背景画像に使用すべき文字列を配信するようにしてもよい。
【００６９】
また、背景画像として表示する文字列は、番組のメインタイトル、サブタイトル、放映日時の３種類若しくは３行に限定されるものではない。例えば、番組の詳細情報に含まれているあらすじ（Ｓｕｍｍａｒｙ）を意味解析、文脈解析するなどの自然言語処理を通じて、１以上のフレーズやキーワードを背景画像として表示する所定行数の文字列として自動抽出するようにしてもよい。あるいは、各種の投稿サイトに書き込まれた番組に対するコメントをテキスト・マイニングや情報フィルタリングなどの処理を行なって、１以上のフレーズやキーワードを背景画像として表示する文字列として自動抽出するようにしてもよい。膨大な文字データから背景画像として表示する文字列を抽出する処理の演算負荷が情報端末２００単体では重い場合には、クラウド技術を利用した文字列抽出サービスを提供するようにしてもよい。
【００７０】
また、背景画像として表示する文字列の行数は特に限定されない。以下では、便宜上、番組のメインタイトル、サブタイトル、放映日時の３行の文字列を背景画像として表示する実施形態を中心に説明する。また、背景画像として表示する文字列の抽出方法は任意とする。
【００７１】
図１２には、背景画像に表示する各行の文字列の文字サイズ、大きさ（長さ）、表示位置を決定する仕組みを図解している。各背景画像１１０１、１１０２、１１０３の表示位置、文字サイズ、大きさ（長さ）は、有効表示領域１２００のサイズに基づいて決められる。有効表示領域１２００は、背景画像を配置することが可能な、点線で囲まれた領域であり、以下では、高さをＨ、幅をＷとする。
【００７２】
各背景画像１１０１、１１０２、１１０３における文字サイズは、有効表示領域１２００の高さＨに、背景画像１１０１、１１０２、１１０３毎に設定された一定比率ＲMTH、ＲSTH、ＲSHをそれぞれ掛けた値ＲMTH×Ｈ、ＲSTH×Ｈ、ＲSH×Ｈにする。各背景画像１１０１、１１０２、１１０３には文字列を１行しか表示しないとすると、文字サイズＲMTH×Ｈ、ＲSTH×Ｈ、ＲSH×Ｈがそれぞれの背景画像１１０１、１１０２、１１０３の高さに相当することになる。各々の比率ＲMTH、ＲSTH、ＲSHは、例えば、背景画像１１０１、１１０２、１１０３に表示する文字列の重要性に鑑みて設定される。背景画像１１０１に番組のメインタイトルを表示し、背景領域１１０２にそのサブタイトルを表示する場合、メインタイトルの方がより重要であることから、ＲMTH＞ＲSTHとなるように設定すればよい。
【００７３】
また、各背景画像１１０１、１１０２、１１０３の長さは、有効表示領域１２００の幅Ｗに、背景画像１１０１、１１０２、１１０３毎に設定された一定比率ＲMTW、ＲSTW、ＲSWをそれぞれ掛けた値ＲMTW×Ｗ、ＲSTW×Ｗ、ＲSW×Ｗにする。各々の比率ＲMTW、ＲSTW、ＲSWは、例えば、背景画像１１０１、１１０２、１１０３に表示する文字列の重要性に鑑みて設定される。背景画像１１０１に番組のメインタイトルを表示し、背景領域１１０２にそのサブタイトルを表示する場合、メインタイトルの方がより重要であることから、ＲMTW＞ＲSTWとなるように設定すればよい。
【００７４】
各背景画像１１０１、１１０２、１１０３における文字サイズは、有効表示領域１２００の高さＨに基づいてそれぞれＲMTH×Ｈ、ＲSTH×Ｈ、ＲSH×Ｈに決定される。したがって、各背景画像１１０１、１１０２、１１０３について決定した長さを文字サイズで割り算することで、それぞれが表示可能な文字数（最大文字列長）を決定することができる。
【００７５】
背景画像１１０１、１１０２、１１０３の各々に表示すべき文字列が、有効表示領域１２００の幅Ｗに基づいて決定される最大文字列長を超えることも想定される。このような場合、最大文字列長以内に収まるように、元の文字列を途中でカットする。例えば、背景画像１１０１に表示する番組のメインタイトルが２１文字からなる文字列“Ａ  ｌｏｎｇ，  ｌｏｎｇ  ｔｉｍｅ  ａｇｏ”であるのに対し、最大文字列長が１５に決定された場合には、メインタイトルの文字列のうち後方から、１５を超える６文字“ｍｅ  ａｇｏ”を余剰文字列としてカットし、先頭から１５文字目までの文字列“Ａ  ｌｏｎｇ，  ｌｏｎｇ  ｔｉ”のみを背景画像１１０１として表示するようにしてもよい。
【００７６】
なお、余剰文字列を元の文字列の後方からではなく、先頭や中央からカットするという代替方法も考えられる。しかしながら、先頭や中央から余剰文字列をカットした残りの文字列から元の文字列を想起することが懸念されるので、後方からカットすることが好ましいと思料される。英語や日本語のように、左からか右に向かって綴られる言語の場合、文字列の右端から余剰文字列をカットすることになる。他方、アラビア語のように右から左に向かって綴られる言語の場合には、文字列の左端から余剰文字列をカットするようにすればよい。
【００７７】
また、背景画像１１０１、１１０２、１１０３に文字列を描画する色（以下、「文字色」とも言う）は、あくまで背景として、前景であるコンテンツ詳細画面３５の邪魔にならないようにすることが好ましい。例えば、サムネイル８０１として表示されるコンテンツの代表画像から抽出した「代表色」を加工した色を文字色として使用するようにしてもよい。代表色を加工する意図は、背景画像の文字色が濃いと前景として表示される画面の情報が見えにくくなり、逆に文字色が淡いと背景画像の文字列が読み取れなくなるので、これらの事態を回避することにある。
【００７８】
続いて、背景画像の表示位置を決定する方法について説明する。各背景画像１１０１、１１０２、１１０３の描画初期位置１２０２、１２０３、１２０４は、有効表示領域１２００の高さＨ並びに幅Ｗに対してそれぞれ一定比率となるオフセットを持つ位置に設定される。但し、ここで言う比率は、背景画像１１０１、１１０２、１１０３毎に（言い換えれば、背景画像として表示する文字列の行毎に）まちまちの値とする。図１２左に示すように、左画面である関連番組一覧画面３７にスライドさせたときは、各背景画像１１０１、１１０２、１１０３は、それぞれ描画初期位置１２０２、１２０３、１２０４に表示される。なお、４ステップ以上で左右方向に画面がスライドするようにコンテンツ詳細画面の遷移が構成される場合は、最左端に画面をスライドさせたときに、各背景画像１１０１、１１０２、１１０３が描画初期位置１２０２、１２０３、１２０４に表示される。各背景画像１１０１、１１０２、１１０３の描画初期位置１２０２、１２０３、１２０４に規則性はないので、左画面（若しくは最左端にスライドした画面）での背景画像のグラフィカルな効果が高まる。
【００７９】
背景画像１１０１、１１０２、１１０３の長さが有効表示領域１２００の幅に比べて長いときには、図１２左に示すように、描画初期位置１２０２、１２０３、１２０４に表示したときに、背景画像１１０１、１１０２、１１０３の右側が有効表示領域１２００内に収まらず、左画面では文字列を表示できない領域１２０６、１２０７、１２０８がそれぞれ生じることもある。
【００８０】
また、前景のコンテンツ詳細画面の左右のスライド（左画面⇔メイン画面⇔右画面）１２１０に連動して、各背景画像１１０１、１１０２、１１０３はそれぞれ描画初期位置１２０２、１２０３、１２０４からスクロールする。右画面であるＳＮＳ一覧画面３６にスライドさせたときに、図１２右に示すように、各背景画像１１０１、１１０２、１１０３の右端が有効表示領域１２００の右端縁１２０５で揃うように、各背景画像１１０１、１１０２、１１０３をスクロールさせる。なお、４ステップ以上で左右方向に画面がスライドするようにコンテンツ詳細画面の遷移が構成される場合は、最右端にスライドした画面における各背景画像１１０１、１１０２、１１０３の右上端位置が有効表示領域１２００の右端縁１２０５で揃うようにする。このようにすれば、左画面（若しくは最左端にスライドした画面）では表示できなかった各背景画像１１０１、１１０２、１１０３の領域１２０６、１２０７、１２０８を、左画面（若しくは最右端）までスライドしたときに有効表示領域１２００内で表示させることができる。すなわち、前景となるコンテンツ詳細画面が左画面⇔メイン画面⇔右画面にスライドする間に、各背景画像１１０１、１１０２、１１０３のすべての領域が露出するようにすることができる。
【００８１】
前景となるコンテンツ詳細画面が右画面から左画面まで（若しくは、最左端の画面から最右端の画面まで）スライドする間に、各背景画像１１０１、１１０２、１１０３がスクロールするスクロール量は、各々の描画初期位置１２０２、１２０３、１２０４（描画初期位置における有効表示領域の左端からのオフセット）と長さによって決まる。前景が右画面のときには、各背景画像１１０１、１１０２、１１０３の右側の領域１２０６、１２０７、１２０８が表示されないが（図１２左を参照のこと）、前景が右画面のときには、各背景画像１１０１、１１０２、１１０３の右端を有効表示領域１２００の右端縁１２０５に揃えるので、領域１２０６、１２０７、１２０８が画面に出現する（図１２右を参照のこと）。言い換えれば、領域１２０６、１２０７、１２０８の幅が各々の背景画像１１０１、１１０２、１１０３のスクロール量はそれぞれＳ1、Ｓ3、Ｓ3ということになる。
【００８２】
前景となるコンテンツ詳細画面が左画面⇔メイン画面⇔右画面にスライドする間に、背景画像１１０１、１１０２、１１０３が連動して滑らかにスライドすると、ユーザーの目には自然に映ると考えられる。前景の画面のスライドに伴って背景画像１１０１をスクロールさせるアニメーションについて、図１３を参照しながら説明する。図１３では、背景画像１１０１のスクロール位置を、前景の画面に対する相対位置で表わしている。
【００８３】
前景が左画面のときには、背景画像１１０１の右端は有効表示領域１２００から外れた最右端のスクロール位置１３０１にある。また、前景が右画面のときには、背景画像１１０１の右端は有効表示量位置１２００の右端と一致する最左端のスクロール位置１３０２にある。これら左右両端のスクロール位置１３０１、１３０２間の距離が、背景画像１１０１のスクロール量Ｓ1に相当する。左画面⇔メイン画面⇔右画面の３ステップで画面がスライドする場合には、２地点１３０１、１３０２間を２等分する位置１３０３を、前景が中央のメイン画面にスライドしたときの背景画像１１０１のスクロール位置となるように、画面スライド時における背景画像１１０１のアニメーションを生成すれば、自然な動きとなる。
【００８４】
さらに、Ｎステップで画面がスライドする場合には（但し、Ｎは４以上の整数とする）、スクロール量Ｓ1を（Ｎ−１）分割して、最右端と最左端の間で前景をスライドさせた各画面における背景画像１１０１のスクロール位置を決定するようにすれば（図示しない）、同様に、画面スライド時における背景画像１１０１のアニメーションは滑らかとなる。また、図示を省略したが、他の背景画像１１０２、１１０３についても、画面を左右方向にスライドさせたときのアニメーションは同様である。
【００８５】
図１２右に示したように、各背景画像１１０１、１１０２、１１０３の左端の位置１２０２、１２０３、１２０４は有効表示領域１２００の右端縁１２０５で揃っている。また、図１２左に示したように、各背景画像１１０１、１１０２、１１０３の左端の位置１２０２、１２０３、１２０４は決まっている。したがって、画面を左右方向に（すなわち、左画面⇔メイン画面⇔右画面に）スライドさせたときの各背景画像１１０１、１１０２、１１０３のアニメーションは、（詳細情報を表示する対象となる）コンテンツに依らずほぼ同じようなものとなる。
【００８６】
図１４には、背景画像付きのコンテンツ詳細画面３５を生成するための機能的構成例を模式的に示している。図示の例では、コンテンツ詳細情報取得部１４０１と、操作情報取得部１４０２と、コンテンツ詳細画面生成部１４０３と、文字列取得部１４０４と、背景画像生成部１４０５と、画像合成部１４０６が協働的に動作して、背景画像付きのコンテンツ詳細画面３５を生成するように構成されている。各機能モジュール１４０１〜１４０６は、制御部２０１において所定のプログラム・コードを実行するという形態で実現することができる。勿論、一部又は全部の機能モジュールを専用のハードウェアとして実装することも可能である。
【００８７】
コンテンツ詳細情報取得部１４０１は、コンテンツ詳細画面に表示すべきコンテンツの詳細情報を取得する。例えば、テレビ番組表画面３１、Ｗａｔｃｈ  Ｎｏｗ画面３２、ＳＮＳ画面３３、ＣＳＳ画面３４などの上で特定のコンテンツが選択されたことに応じて（図３を参照のこと）、コンテンツ詳細情報取得部１４０１は、コンテンツ詳細情報の取得処理を起動する。
【００８８】
コンテンツが放送番組の場合、コンテンツ詳細情報取得部１４０１は、番組放送に付随して送信されるデータ放送から、コンテンツ詳細情報を取得することができる。また、ＤＶＤやブルーレイなどの商用コンテンツの場合、コンテンツ詳細情報取得部１４０１は、ＣＤＳ機能を用いてコンテンツの詳細情報を取得することができる。あるいは、これらの仕組みとは別に、コンテンツ詳細情報取得部１４０１は、クラウド技術により提供されるサービスを利用してコンテンツ詳細情報を取得するようにしてもよい。
【００８９】
操作情報取得部１４０２は、ユーザーが表示パネル２２１（若しくは、タッチパネル２２３）上で行なったタップや長押し、フリック、スワイプなどのユーザー操作の情報を、タッチ・インターフェース２２４を介して入力する。
【００９０】
コンテンツ詳細画面生成部１４０３は、ユーザー操作の情報に応じて、コンテンツ詳細情報取得部１４０１が取得したコンテンツ詳細情報からコンテンツ詳細画面を生成する。また、画面の左右方向へのスワイプ操作が行なわれたときには、コンテンツ詳細画面生成部１４０３は、左画面としての関連番組一覧画面や、右画面としてのＳＮＳ一覧画面を生成する。
【００９１】
文字列取得部１４０４は、コンテンツ詳細画面の背景画像として使用する文字列を取得する。
【００９２】
放送コンテンツの場合、背景画像として表示する文字列は、例えば、番組のメインタイトル、サブタイトル（但し、サブタイトルが付けられている場合）、放映日時の３行（若しくは、３種類）の文字列である。文字列取得部１４０４は、背景画像として表示する所定行数の文字列を、放送コンテンツに付随して配信されるＥＰＧ情報から取得することができる。但し、文字列取得部１４０４が主要情報を取得する方法は特に限定されない。例えば、番組のあらすじ（Ｓｕｍｍａｒｙ）を意味解析、文脈解析するなどの自然言語処理を通じて、文章に含まれる１以上のフレーズやキーワードを、背景画像として表示する文字列として自動抽出するようにしてもよい。あるいは、各種の投稿サイトに書き込まれた番組に対するコメントをテキスト・マイニングや情報フィルタリングなどの処理を適用して、文章に含まれ１以上のフレーズやキーワードを背景画像として表示する文字列として自動抽出するようにしてもよい。また、文字列取得部１４０４は、クラウド技術によって提供されるサービスを利用して、膨大な文字データから背景画像として表示する所定行数の文字列を取得するようにしてもよい。
【００９３】
背景画像生成部１４０５は、文字列取得部１４０４が取得した所定行数の文字列を用いて、コンテンツ詳細画面の背景画像を生成する。図１１〜図１３を参照しながら既に説明したように、背景画像生成部１４０５は、各行の文字列をグラフィカルに表示した背景画像を生成する。本実施形態では、行毎（若しくは、文字列情報の種類毎）に、文字サイズ、表示領域の大きさ（長さ）、表示位置を異ならせて、背景画像を生成する。また、操作情報取得部１４０２が取得するユーザーによるスワイプ操作などによりコンテンツ詳細画面が左画面⇔メイン画面⇔右画面にスライドするのに同期して、背景画像がスライドするアニメーションを生成する。また、背景画像生成部１４０５は、背景画像として表示する文字列の文字色を、コンテンツ詳細画面の色の情報に基づいて決定する。背景画像生成部１４０５において文字色を決める処理の詳細については、後述に譲る。
【００９４】
画像合成部１４０６は、コンテンツ詳細画面生成部１４０３が生成したコンテンツ詳細画面を、背景画像生成部１４０５が生成した背景画像の上に重畳して、表示画像を完成させると、表示パネル２２１に出力する。
【００９５】
図１５には、背景画像生成部１４０５が、背景画像として表示する文字列の文字サイズ、大きさ（長さ）、表示位置を決定するための処理手順をフローチャートの形式で示している。
【００９６】
背景画像生成部１４０５は、まず、背景画像を表示可能な有効表示領域のサイズ（高さＨ及び幅Ｗ）を取得する（ステップＳ１５０１）。有効表示領域のサイズは、表示パネル２２１の画面サイズなどに基づいて定まる。
【００９７】
そして、背景画像生成部１４０５は、文字列取得部１４０４が取得したすべての行の文字列を取得して（ステップＳ１５０２）、各行について、背景画像に文字列を描画する処理を繰り返し実行する（ステップＳ１５０３以降）。
【００９８】
背景画像生成部１４０５は、背景画像として表示する文字列の文字サイズを、有効表示領域の高さＨに基づいて決定する（ステップＳ１５０４）。具体的には、有効表示領域の高さＨに、背景画像に対して設定された比率を掛けた値を文字サイズとする。
【００９９】
次いで、背景画像生成部１４０５は、有効表示領域の幅Ｗと、ステップＳ１５０４で決定した文字サイズに基づいて、背景画像の長さ、すなわち、背景画像として表示する文字列の最大文字列長を決定する（ステップＳ１５０５）。
【０１００】
そして、背景画像生成部１４０５は、現在処理中の行の文字列がステップＳ１５０５で決定した最大文字列長を超えているかどうかをチェックする（ステップＳ１５０６）。
【０１０１】
ここで、背景画像として描画処理中の文字列が最大文字列長を超えているときには（ステップＳ１５０６のＹｅｓ）、その文字列の後方から余剰の文字列をカットして、背景画像に収まるよう文字数を削減する（ステップＳ１５０７）。
【０１０２】
次いで、背景画像生成部１４０５は、有効表示領域の幅Ｗと高さＨ、並びに最大文字列長から、処理中の背景画像のスクロール位置と描画初期位置を取得する（ステップＳ１５０８、Ｓ１５０９）。
【０１０３】
次いで、背景画像生成部１４０５は、そのスクロール位置と描画初期位置に基づいて、コンテンツ詳細画面の現在のスライド位置に対応する背景画像の描画位置を求め（ステップＳ１５１０）、その描画位置で行の文字列を描画する背景画像を生成すると（ステップＳ１５１１）、ステップＳ１５０３に戻る。
【０１０４】
そして、取得したすべての行について背景画像の描画を終了すると（ステップＳ１５０３のＹｅｓ）、画像合成部１４０６は、背景画像生成部１４０５が描画した背景画像の上にコンテンツ詳細画面を合成して、表示画像を完成させると、表示パネル２２１に出力する。
【０１０５】
また、図１６Ａ及び図１６Ｂには、背景画像生成部１４０５が、背景画像として表示する文字列の文字色を決定するための処理手順をフローチャートの形式で示している。
【０１０６】
背景画像生成部１４０５は、まず、コンテンツ詳細画面（メイン画面）に代表画像（又はそのサムネイル）があるかどうかをチェックする（ステップＳ１６０１）。
【０１０７】
ここで、コンテンツ詳細画面に代表画像がないときには（ステップＳ１６０１のＮｏ）、背景画像生成部１４０５は、規定色を文字色に設定して（ステップＳ１６０２）、本処理ルーチンを終了する。
【０１０８】
また、コンテンツ詳細画面に代表画像があるときには（ステップＳ１６０１のＹｅｓ）、背景画像生成部１４０５は、代表画像から代表色を抽出する（ステップＳ１６０３）。代表色は、例えば代表画像の画素値の平均や、代表画像内の背景部分など特定の領域の画素値の平均などである。勿論、その他の抽出方法でもよい。
【０１０９】
そして、背景画像生成部１４０５は、ステップＳ１６０３で抽出した代表色の輝度が規定値Ａより小さいかどうかをチェックする（ステップＳ１６０４）。
【０１１０】
代表色の輝度が規定値Ａより小さいときには（ステップＳ１６０４のＹｅｓ）、背景画像生成部１４０５は、代表色の輝度を上げる調整を行なう（ステップＳ１６０５）。次いで、背景画像生成部１４０５は、代表色の彩度が規定値Ｆより大きいかどうかをさらにチェックする（ステップＳ１６０６）。そして、代表色の彩度が規定値Ｆより大きいときには（ステップＳ１６０６のＹｅｓ）、背景画像生成部１４０５は、代表色の彩度を下げる調整を行なって、文字色とする（ステップＳ１６０７）。
【０１１１】
一方、代表色の輝度が規定値Ａより小さくないときには（ステップＳ１６０４のＮｏ）、背景画像生成部１４０５は、代表色の輝度が規定値Ｂより大きいかどうかをさらにチェックする（ステップＳ１６０８）（但し、Ａ＜Ｂとする）。
【０１１２】
代表色の輝度が規定値Ｂより大きいときには（ステップＳ１６０８のＹｅｓ）、背景画像生成部１４０５は、代表色の輝度を下げる調整を行なう（ステップＳ１６０９）。次いで、背景画像生成部１４０５は、代表色の彩度が規定値Ｇより小さいかどうかをさらにチェックする（ステップＳ１６１０）。そして、代表色の彩度が規定値Ｇより小さいときには（ステップＳ１６１０のＹｅｓ）、背景画像生成部１４０５は、代表色の彩度を上げる調整を行なって、文字色とする（ステップＳ１６１１）。
【０１１３】
また、代表色の彩度が規定値Ｇより小さくないときには（ステップＳ１６１０のＮｏ）、背景画像生成部１４０５は、代表色の彩度が規定値Ｈより大きいかどうかをさらにチェックする（ステップＳ１６１２）（但し、Ｇ＜Ｈとする）。そして、代表色の彩度が規定値Ｈより大きいときには（ステップＳ１６１２のＹｅｓ）、背景画像生成部１４０５は、代表色の彩度を下げる調整を行なって、文字色とする（ステップＳ１６１３）。
【０１１４】
また、代表色の輝度が規定値Ｂより大きくないときには（ステップＳ１６０８のＮｏ）、背景画像生成部１４０５は、代表色の彩度が規定値Ｊより小さいかどうかをさらにチェックする（ステップＳ１６１４）。そして、代表色の彩度が規定値Ｊより小さいときには（ステップＳ１６１４のＹｅｓ）、背景画像生成部１４０５は、代表色の彩度を上げる調整を行なって、文字色とする（ステップＳ１６１５）。
【０１１５】
このように、背景画像生成部１４０５が代表色の輝度や彩度を調整する意図は、背景画像の文字色が濃いと前景として表示される画面の情報が見えにくくなり、逆に文字色が淡いと背景画像の文字列が読み取れなくなるので、これらの事態を回避することにある。
【先行技術文献】
【特許文献】
【０１１６】
【特許文献１】特開２０１３−８０５０２０号公報
【産業上の利用可能性】
【０１１７】
以上、特定の実施形態を参照しながら、本明細書で開示する技術について詳細に説明してきた。しかしながら、本明細書で開示する技術の要旨を逸脱しない範囲で当業者が該実施形態の修正や代用を成し得ることは自明である。
【０１１８】
本明細書では、テレビ受像機と連携する情報端末（スマートフォンやタブレット、電子書籍など）で所定のアプリケーションを実行することにより本明細書で開示する技術を実現する実施形態を中心に説明してきたが、本明細書で開示する技術の要旨はこれに限定されるものではない。勿論、テレビ受像機本体で同様のアプリケーションを実行することによっても、本明細書で開示する技術を実現することができる。あるいは、情報端末又はテレビ受像機本体に専用のハードウェアを実装することによっても、本明細書で開示する技術を実現することができる。
【０１１９】
また、本明細書では、左右方向にスライドするコンテンツ詳細画面に背景画像を描画する実施形態を中心に説明してきたが、上下方向など他の方向にする緯度する場合であっても、同様に本明細書で開示する技術を適用することができる。
【０１２０】
要するに、例示という形態により本明細書で開示する技術について説明してきたのであり、本明細書の記載内容を限定的に解釈するべきではない。本明細書で開示する技術の要旨を判断するためには、特許請求の範囲を参酌すべきである。
【０１２１】
なお、本明細書の開示の技術は、以下のような構成をとることも可能である。
（１）前景に表示する前景情報を取得する情報取得部と、
前記前景情報に基づいて前景画面を生成する前景画面生成部と、
前記前景情報に関連する１行以上の文字列を取得する文字列取得部と、
前記文字列取得部が取得した文字列を行毎に描画した背景画像を生成する背景画像生成部と、
前記背景画像上に前記前景画面を重畳して、表示画面を生成する画像合成部と、
を具備する情報表示装置。
（２）前記情報取得部は、所定のコンテンツの詳細情報を前記前景情報として取得し、
前記前景画面生成部は、前記コンテンツの詳細情報に基づくコンテンツ詳細画面を生成する、
上記（１）に記載の情報表示装置。
（３）前記情報取得部は、所定のコンテンツの詳細情報を前記前景情報として取得し、
前記文字列取得部は、前記コンテンツの詳細情報中から所定の１行以上の文字列を取得する、
上記（１）に記載の情報表示装置。
（４）前記情報取得部は、放送番組に関するコンテンツの詳細情報を前記前景情報として取得し、
前記文字列取得部は、前記コンテンツの詳細情報から放送番組のメインタイトル、サブタイトル（但し、サブタイトルが付けられている場合）、放送日時に相当する行の文字列を取得する、
上記（３）に記載の情報表示装置。
（５）前記前景画面に対するユーザーのスライド操作に関する情報を取得する操作情報取得部をさらに備え、
前記背景画像生成部は、前記前景画面のスライドに応じてスクロールする背景画像を生成する、
上記（１）に記載の情報表示装置。
（６）前記背景画像生成部は、背景画像に表示する文字列の文字サイズ、長さ、表示位置を行毎に決定する、
上記（１）に記載の情報表示装置。
（７）前記背景画像生成部は、前記前景画面の有効表示領域の高さ並びに幅にそれぞれ所定比率を掛けて、各行の文字サイズ並びに長さを決定する、
上記（６）に記載の情報表示装置。
（８）前記背景画像生成部は、前記決定した長さを超える文字列長からなる文字列の後方から余剰の文字数だけカットする、
上記（６）に記載の情報表示装置。
（９）前記背景画像生成部は、前記前景画面の有効表示領域の高さ及び幅に対してそれぞれ所定比率となる、行毎の背景画像の描画初期位置を決定する、
上記（６）に記載の情報表示装置。
（１０）前記前景画面に対するユーザーのスライド操作に関する情報を取得する操作情報取得部をさらに備え、
前記背景画像生成部は、最左端にスライドした前景画面では、行毎の背景画像をそれぞれの描画初期位置に描画し、最右端にスライドした前景画面では、各行の背景画像の右端が前景画面の有効表示領域の右端に揃うように描画する、
上記（９）に記載の情報表示装置。
（１１）前記背景画像生成部は、前景画像が左右方向にスライドするステップ数に応じて、前景画像の各スライド位置における行毎の背景画像の描画位置を決める、
上記（１０）に記載の情報表示装置。
（１２）前記背景画像生成部は、前記前景画像が有する色情報に基づいて、背景画像に表示する文字列の文字色を決定する、
上記（１）に記載の情報表示装置。
（１３）前記前景情報は画像情報を含み、
前記背景画像生成部は、前記画像情報の代表色に基づいて前記文字色を決定する、
上記（１２）に記載の情報表示装置。
（１４）前記背景画像生成部は、前記代表色の輝度又は彩度の少なくとも一方に基づいて、前記文字色を加工する、
上記（１３）に記載の情報表示装置。
（１５）前記情報取得部は、放送コンテンツの詳細情報をデータ放送から取得する、
上記（２）に記載の情報表示装置。
（１６）前記情報取得部は、記録メディアを介して配布される商用コンテンツの詳細情報を前記記録メディアから取得する、
上記（２）に記載の情報表示装置。
（１７）前記情報取得部は、前記前景情報をインターネットから取得する、
上記（１）に記載の情報表示装置。
（１８）前記文字列取得部は、前記前景情報に関連する文字列をインターネットから取得する、
上記（１）に記載の情報表示装置。
（１９）前記画像合成部により前記背景画像を合成した表示画面を表示する表示部をさらに備える、
上記（１）に記載の情報表示装置。
（２０）前景に表示する前景情報を取得する情報取得ステップと、
前記前景情報に基づいて前景画面を生成する前景画面生成ステップと、
前記前景情報に基づいて、１行以上の文字列を取得する文字列取得ステップと、
前記文字列取得部が取得した行毎の文字列を描画した背景画像を生成する背景画像生成ステップと、
前記背景画像上に前記前景画面を重畳して、表示画面を生成する画像合成ステップと、
を有する情報表示方法。
（２１）前景に表示する前景情報を取得する情報取得部、
前記前景情報に基づいて前景画面を生成する前景画面生成部、
前記前景情報に基づいて、１行以上の文字列を取得する文字列取得部、
前記文字列取得部が取得した行毎の文字列を描画した背景画像を生成する背景画像生成部、
前記背景画像上に前記前景画面を重畳して、表示画面を生成する画像合成部、
としてコンピューターを機能させるようにコンピューター可読形式で記述されたコンピューター・プログラム。
【符号の説明】
【０１２２】
１００…テレビ・システム
２００…情報端末
２１０…制御部、２１１…ＣＰＵ、２１２…ＲＯＭ、２１３…ＲＡＭ
２２０…表示部、２２１…表示パネル、２２２…表示インターフェース
２２３…タッチパネル、２２４…タッチ・インターフェース
２３０…音声処理部、２３１…音声出力部、２３２…音声入力部
２３４…出力端子
２４０…通信部、２５０…記憶部、２６０…カメラ部
２６１…イメージ・センサー、２６２…ＡＦＥ処理部
２６３…カメラ・インターフェース、２７０…センサー部
３００…テレビ受像機
１４０１…コンテンツ詳細情報取得部、１４０２…操作情報取得部
１４０３…コンテンツ詳細画面生成部、１４０４…文字列取得部
１４０５…背景画像生成部、１４０６…画像合成部
【図２】
2015050655.tif 000003
【図３】
2015050655.tif 000004
【図１４】
2015050655.tif 000005
【図１５】
2015050655.tif 000006
【図１６Ａ】
2015050655.tif 000007
【図１６Ｂ】
2015050655.tif 000008
【図１】
2015050655.tif 000009
【図４】
2015050655.tif 000010
【図５】
2015050655.tif 000011
【図６】
2015050655.tif 000012
【図７】
2015050655.tif 000013
【図８】
2015050655.tif 000014
【図９】
2015050655.tif 000015
【図１０】
2015050655.tif 000016
【図１１】
2015050655.tif 000017
【図１２】
2015050655.tif 000018
【図１３】
2015050655.tif 000019